(57)【要約】【課題】乳幼児が器用さ、能力、知的能力、創造力、集中力を同時に向上させられる玩具ビーズを提供する。【解決手段】玩具ビーズ１０、１００は、それぞれ近端と遠位端を備える２つの複合パーツ、ビーズを組み立てるため複合パーツを螺合できるよう適合された複合ねじ込み手段を備える複合パーツの近位端、対応する差し込み手段を備える他の同様の玩具ビーズのパーツにそれぞれ前記のパーツを差し込めるよう適合されたオス又はメスの差し込み手段１７、１８、１７０、１８０を備える複合パーツの遠位端、並びにさらに近位端から遠位端まで、及び開口部から各終端まで伸びる内部管を備え、複合パーツを螺合したとき、一方のパーツの内部管が対の複合パーツの内部管と同一直線状になり、複合パーツの内部管に糸を連続して通すことができる。【選択図】図５
2019130394.tif 000002
【特許請求の範囲】
【請求項１】
以下を備える玩具ビーズ：
それぞれ近位端と遠位端を備える２つの複合パーツ（１１、１２、１１０、１２０、２１０、２２０）、
ビーズを組み立てるため複合パーツ（１１、１２、１１０、１２０、２１０、２２０）を螺合できるように適合された、複合ねじ込み手段（１１ａ、１２ａ、１１０ａ、１２０ａ）を備える前記複合パーツ（１１、１２、１１０、１２０、２１０、２２０）の近位端
オス又はメスの差し込み手段（１７、１８、１７０、１８０）を備え、前記の複合パーツ（１１、１２、１１０、１２０、２１０、２２０）をそれぞれ対応する差し込み手段（１７、１８、１７０、１８０）を備える他の玩具ビーズに差し込めるよう適合された、前記の複合パーツの遠位端
さらに近位端から遠位端まで、及び開口部から各終端まで伸びる内部管（１５、１５０）を備え、複合パーツを螺合したとき、一方のパーツの内部管が対の複合パーツ（１１、１２、１１０、１２０、２１０、２２０）の内部管（１５、１５０）と同一直線状になり、前記の複合パーツ（１１、１２、１１０、１２０、２１０、２２０）の内部管（１５、１５０）に糸（２２）を連続して通すことができる各複合パーツ（１１、１２、１１０、１２０、２１０、２２０）。
【請求項２】
各複合パーツ（１１、１２、１１０、１２０、２１０、２２０）が半球体で、半球体の最上部に遠位端を持ち、半球体の底部に近位端を持つことを特徴とする請求項１の玩具ビーズ。
【請求項３】
前記の差し込み手段（１７、１８、１７０、１８０）が内部管（１５、１５０）に向かって伸びることを特徴とする請求項１の玩具ビーズ。
【請求項４】
前記の複合パーツ（１１、１２、１１０、１２０、２１０、２２０）の前記の差し込み手段がそれぞれオスとメスであることを特徴とする請求項１の玩具ビーズ。
【請求項５】
各複合パーツの内部管が、前記の複合パーツのオスの差し込み手段に協力する形状を持つ近位端を備えることを特徴とする、請求項４による玩具ビーズ。
【請求項６】
さらに２つの終端を持つ中空の中間パーツ（２１５）を含み、この各終端は各複合パーツ（１１、１２、１１０、１２０、２１０、２２０）のねじ込み手段（１１ａ、１２ａ、１１０ａ、１２０ａ）と螺合するように適合されたねじ込み手段を備え、ビーズの組み立て時に中間パーツ（２１５）を複合パーツ（１１、１２、１１０、１２０、２１０、２２０）に加えて２つのパーツ間を拡張できることを特徴とする請求項１の玩具ビーズ。
【請求項７】
それぞれ以下を含む複数の玩具ビーズから成るアクセサリー：
それぞれ近位端と遠位端を備える２つの複合パーツ（１１、１２、１１０、１２０、２１０、２２０）、
前記のビーズを組み立てるため複合パーツを螺合できるように適合された、複合ねじ込み手段（１１ａ、１２ａ、１１０ａ、１２０ａ）を備える前記複合パーツ（１１、１２、１１０、１２０、２１０、２２０）の近位端、
オス又はメスの差し込み手段（１７、１８、１７０、１８０）を備え、前記のパーツを玩具アクセサリーの別の玩具ビーズのパーツに差し込めるよう適合された、前記の複合パーツ（１１、１２、１１０、１２０、２１０、２２０）の遠位端
さらに近位端から遠位端まで、及び開口部から各終端まで伸びる内部管（１５、１５０）を備え、複合パーツを螺合したとき、一方のパーツの内部管（１５、１５０）が対の複合パーツ（１１、１２、１１０、１２０、２１０、２２０）の内部管と同一直線状になり、前記の複合パーツの内部管（１５、１５０）に糸（２２）を連続して通すことができる各複合パーツ（１１、１２、１１０、１２０、２１０、２２０）。
【請求項８】
各ビーズの前記のねじこみ手段が同一で、どのビーズのパーツでも玩具アクセサリーの他のビーズのパーツとそれぞれ結合できることを特徴とする、請求項７の玩具アクセサリー。
【請求項９】
各ビーズの前記の差し込み手段（１７、１８、１７０、１８０）が同一で、どのビーズのパーツでも玩具アクセサリーの他のビーズのパーツにそれぞれ差し込めることを特徴とする、請求項７の玩具アクセサリー。
【発明の詳細な説明】
【技術分野】
【０００１】
本発明は、幼い子どもの器用さ、能力、知的能力、創造力、集中力を同時に向上させることに特化したマルチスキル育成・教育玩具に関するものである。
【背景技術】
【０００２】
玩具ビーズは、糸を通せるよう適合された内部経路を備えた球体又は部分的に球体のパールで、ユーザーが複数のビーズに糸を通してブレスレット、ネックレス、指輪などの子ども用アクセサリーを形成できるようになっている。
【０００３】
玩具ビーズは当業では周知されており、主に子どもがアクセサリーを作るレクリエーション活動に用いられている。
【０００４】
欧州特許出願公開第３０３７５７７号明細書は、ビーズ玩具を作るためのベースを含むビーズ接続玩具を開示している。これはビーズに通すビーズストランドの一端側と他端側にストランドセットロッキング部を持つストランドセット部、２本のベースストランド及びビーズストランドと２本のベースストランドとビーズを編み込む１本の係合ストランド、接続玩具本体の一端側にありストランドセットロッキング部をロックする一端側ロッキング部、並びに接続玩具本体の他端側にあり２本のベースストランドとビーズストランドをロックする他端側ロッキング部に基づくものである。
【０００５】
前記のビーズ接続玩具により、子どもはティーンエイジャーに適した特定の難度でブレスレットを作成できる。こうしたビーズ接続玩具は、幼い子どもや乳幼児には難しすぎて適さない。さらに、一旦作成したアクセサリーを作り変えるには、最初のアクセサリーを完全に分解して作り直すしか方法がない。
【０００６】
米国特許第６２２００１０号明細書が開示している連続した構成要素から成る装飾チェーンでは、少なくとも１つの構成要素が中空の本体を持ち、そこにリンク構成部品を保持するように設計されたインサートが固定されており、リンク部は隣接するチェーンの構成要素につながり、前記のインサートは少なくとも１つのスリーブを含む。スリーブにはスロットがあり、リンク構成部品の軸が十分に通る幅がある。
【０００７】
前記の装飾チェーンにより、子どもはビーズ間にリンク構成部品を使用することで、ビーズを互いに差し込んで連続的につなぐことができる。そのため、ブレスレットなどの子ども用アクセサリーを簡単に組み立て、あまり苦労せずに分解することができる。ただし、この玩具の一つの欠点は、小さなリンク構成部品を使用しているため紛失しやすく、紛失すると玩具を使用できなくなる。さらに、創造性は使用するビーズの並びに限定され、２回遊ぶと飽きる可能性がある。
【先行技術文献】
【特許文献】
【０００８】
【特許文献１】欧州特許出願公開第３０３７５７７号明細書
【特許文献２】米国特許第６２２００１０号明細書
【発明の概要】
【発明が解決しようとする課題】
【０００９】
本発明は、既知のビーズ玩具の欠点の少なくとも一部を克服することを目的とする。
【００１０】
具体的には、本発明の目的は、少なくとも本発明の一実施態様では、乳幼児が器用さ、能力、知的能力、創造力、集中力を同時に向上させられる玩具ビーズを提供することである。
【００１１】
具体的には、本発明の目的は、少なくとも本発明の一実施態様では、年齢や成長度に応じて様々な方法で使用できる乳幼児向けの漸進的玩具ビーズを提供することである。
【００１２】
また本発明の目的は、少なくとも本発明の一実施態様では、複数の教育機能、具体的には紐で結ぶ、回す、差し込むという機能を組み合わせた玩具ビーズを提供することである。
【００１３】
また本発明の目的は、少なくとも本発明の一実施態様では、異なる玩具ビーズを結合することで、複数個から成るアクセサリーを作成できる玩具ビーズを提供することである。
【００１４】
また本発明の目的は、少なくとも本発明の一実施態様では、幼い子どもが構成要素を紛失して玩具が使用できなくならないように、わずかな構成要素を用いて複数のアクセサリーを作成できる玩具ビーズを提供することである。
【００１５】
また本発明の目的は、少なくとも本発明の一実施態様では、最初に作成したアクセサリーを完全に分解することなく簡単に変更して、次のアクセサリーを作成できる玩具ビーズを提供することである。
【００１６】
また本発明の目的は、少なくとも本発明の一実施態様では、組み立てゲームのモジュールとして使用できる玩具ビーズを提供することである。
【課題を解決するための手段】
【００１７】
本発明は、以下を含む玩具ビーズに関するものである：
それぞれ近位端と遠位端を備える２つの複合パーツ、
ビーズを組み立てるため複合パーツを螺合できるように適合された、複合ねじ込み手段を備える前記複合パーツの近位端
オス又はメスの差し込み手段を備え、前記のパーツをそれぞれ対応する差し込み手段を備える他の玩具ビーズに差し込めるよう適合された、前記の複合パーツの遠位端
さらに近位端から遠位端まで、及び開口部から各終端まで伸びる内部管を備え、複合パーツを螺合したとき、一方のパーツの内部管が対の複合パーツの内部管と同一直線状になり、前記の複合パーツの内部管に糸を連続して通すことができる各複合パーツ。
【００１８】
本発明による玩具ビーズにより、子ども、とりわけ幼い子どもは紐で結ぶ、回す、差し込むという能力を同時に発達させることができる。加えて、本発明による玩具ビーズは、ビーズのパーツを他のビーズのパーツと組み合わせて新しい独自のビーズを形成できるようにすることで、子どもの創造力の発達を可能にする。加えて、ビーズは、他の接合部品がなくても、差し込み手段によりつなぎ合わせることができる。加えて、本発明により、子どもは最初に作成したアクセサリーを完全に分解しなくても、容易に適合又は変更することができる。子どもは組み立てたアクセサリーから１つのビーズを隣の２つのビーズから引き抜き、取り外したビーズの外観を変更することができる。例えば、２つの複合パーツを回して外して、１つ又は２つのパーツを交換し、新しい部品を螺合して、この新しいビーズを残りのビーズのチェーンに差し込んでアクセサリーを変更することができる。
【００１９】
有利性としては、玩具ビーズ上のねじ込み手段及び差し込み手段の向きと位置により２つの動作、すなわち互いに回して締緩する部分（パーツの近位端の部分）で実行される、パーツを回して締める／外す最初の回転動作、及び回して締緩する部分に対して垂直に実行される、ビーズを隣のビーズに差し込み／ひき抜く直線動作が互いに垂直になる。これらの動きが乳幼児の能力発達に関与する。
【００２０】
本発明による玩具は乳幼児向けの漸進的玩具である。具体的には、非常に幼い乳幼児は玩具ビーズの差し込み機能のみを使用できる。その乳幼児は成長すると、玩具ビーズのねじ込みと互換性の機能や、紐で結ぶ機能を使用できるようになる。
【００２１】
本発明による玩具ビーズは、最初の状態、すなわち前記の通り２つの複合パーツが螺合された組み立て状態、及び第二の状態、すなわち２つの複合パーツが分離された分解状態を表すことができる。組み立て状態では、本玩具ビーズを同様の隣接する玩具ビーズに差し込み、さらにビーズを糸でつなぎ合わせることができる。分離状態では、ビーズの各パーツを別のビーズの別のパーツと組み立てて新しいビーズを形成することができる。
【００２２】
各複合パーツの形状、大きさ、美的外観は、違う種類にすることができる。ただし、第一実施態様では、各複合パーツは半球体で、半球体の最上部に遠位端があり、半球体の底部に近位端がある。
【００２３】
半球体のパーツは、大人のアクセサリーに使われるパールのような丸いビーズを形成することができる。ただし、他の実施態様では、パーツを立方体やその他の形状、例えば漫画のキャラクターや動物の形とすることができる。
【００２４】
有利性としては、及び本発明によれば、各パーツの差し込み手段はこのパーツの内部管に向かって伸びている。
【００２５】
前記の実施態様により、一旦ビーズを互いに差し込むと糸を挿入しやすくなる。この実施態様では、差し込み手段が中空で管に向かって伸びているため、管と差し込み手段に糸を通すことができる。
【００２６】
一旦ビーズを組み立てると、すなわち２つの複合パーツを螺合すると、差し込み手段は前記のパーツの内部管に向かって伸び、この方向はねじ込み手段の部分に対して垂直になる。
【００２７】
有利性としては、及び本発明によれば、前記の複合パーツの前記の差し込み手段はそれぞれオスとメスである。
【００２８】
この実施態様では、ビーズの複合パーツの差し込み手段はオスの差し込み手段とメスの差し込み手段を備え、オスの差し込み手段がメスの差し込み手段にぴったり収まる形状になっている。
【００２９】
有利性としては、及び本発明によれば、各複合パーツの内部管は、前記の複合パーツのオスの差し込み手段を受容する形状の近位端を備えている。
【００３０】
斯かる実施態様により、幼児はこの実施態様に従ってビーズのパーツを組み立てゲームのモジュールとして使用することができる。特に、この実施態様によれば、どの玩具ビーツの複合パーツでも、オスの差し込み手段を備えるこの実施態様による玩具ビーズの複合パーツにはめることができる。言い換えれば、オスの差し込み手段を備えるビーズの複合パーツは、ベース部（複合パーツの近位端を平面に寝かせる）となり、ビーズ複合パーツのオスの差し込み手段を受容する形状を持つ複合パーツの内部管にオスの差し込み手段を差し込むことで、複合パーツを支持することができる。
【００３１】
言い換えれば、内部管の近位端は、この実施態様では、複合パーツのメスの差し込み手段がオスの差し込み手段に接合された形を成す。そのため、この実施態様によるビーズの複合パーツは、各ねじ込み手段によって、またはオスの差し込み手段を備える複合パーツのオスの差し込み手段を、メスの差し込み手段を備える複合パーツの内部管に互いに収めることによって組み立てることができる。
【００３２】
有利性としては、及び本発明によれば、玩具ビーズはさらに２つの終端を持つ中空の中間パーツを含む。この各終端は各複合パーツのねじ込み手段と螺合するように適合されたねじ込み手段を備え、ビーズの組み立て時に中間パーツを複合パーツに加えて２つのパーツ間を拡張することができる。
【００３３】
前記の実施態様により、３つのパーツから成るビーズを作るという別の機能が提供される。中間パーツは各複合パーツと螺合できるように適合されている。言い換えると、この実施態様によれば、ビーズは２つの複合パーツを螺合する方法、又は２つの複合パーツと中間パーツを螺合する方法のいずれかで形成することができる。この実施態様のもう一つの利点として、中間パーツはビーズのカスタマイズを可能にする外形にすることができる。一つの実施態様では、中間パーツが平らなため、ビーズはほぼ球体の形状に保たれる。そのため、この実施態様によるビーズは、２つの複合パーツの間にラジアルディスク型の中間パーツを挟んだほぼ球体の形状を示す。
【００３４】
中間パーツは中空であり、中央に穴を備えている。この穴により、ビーズを組み立てたときに糸の通り道ができる。
【００３５】
また本発明は以下にも関するものである。すなわち、複数の玩具ビーズから成る玩具アクセサリー、２つの複合パーツから成る各玩具ビーズ、近位端と遠位端を備える各パーツ、
前記のビーズを組み立てるため複合パーツを螺合できるように適合された、複合ねじ込み手段を備える前記複合パーツの近位端、
オス又はメスの差し込み手段を備え、前記のパーツを玩具アクセサリーの別の玩具ビーズのパーツに差し込めるよう適合された、前記の複合パーツの遠位端
さらに近位端から遠位端まで、及び開口部から各終端まで伸びる内部管を備え、複合パーツを螺合したとき、一方のパーツの内部管が対の複合パーツの内部管と同一直線状になり、前記の複合パーツの内部管に糸を連続して通すことができる各複合パーツ。
【００３６】
有利性としては、及び本発明によれば、各ビーズのねじ込み手段は同一であり、どのビーズのパーツでも玩具アクセサリーの他のビーズのパーツに結合することができる。
【００３７】
有利性としては、及び本発明によれば、各ビーズの差し込み手段は同一であり、どのビーズのパーツでも玩具アクセサリーの他のビーズのパーツに差し込むことができる。
【００３８】
本発明はねじ込みシステムを用いて開き、ビーズを互いに結合することができる。紐で結ぶ、回す、差し込むなど、複数の教育機能を提供する。
【００３９】
本発明では、各ビーズがオスとメス又はそのいずれかの終端を持ち、ビーズ同士を接続できるようになっており、差し込む能力を提供する。本発明では、各ビーズが本体に通り道を持ち、ユーザーがビーズに糸を通せるようになっており、紐で結ぶ機能を提供する。本発明では、ねじ込みシステムを用いて開くことができる２つのパーツが各ビーズに含まれており、回す機能も提供する。半分にしたビーズをつなぎ合わせて複数の組み合わせを可能にするため、各ビーズの直径は同一である。
【００４０】
本発明のその他の目的、特徴、有利性は、非限定的な例として以下に示されている解説を読み、添付の図を参照することで明らかになる。
【図面の簡単な説明】
【００４１】
【図１】本発明の第一実施態様によれば、玩具ビーズを分解した状態の概略図である。
【図２】図１の玩具ビーズを組み立てた状態の概略図である。
【図３】本発明の第二実施態様によれば、玩具ビーズを組み立てた状態の概略図である。
【図４】図３の玩具ビーズの内部構造の概略図である。
【図５】第一実施態様による玩具ビーズ、及び第二実施様態による玩具ビーズの差し込み機能を示した概略図である。
【図６】第一実施態様による玩具ビーズ、及び第二実施様態による玩具ビーズの紐で結ぶ機能を示した概略図である。
【図７】第一実施態様による玩具ビーズ、及び第二実施様態による玩具ビーズの互換性を示した概略図である。
【図８】本発明の他の実施態様による玩具ビーズの中間パーツを示した概略図である。
【図９】本発明の他の実施態様による玩具ビーズの組み立て機能を示した概略図である。
【図１０】本発明の他の実施態様による玩具ビーズの組み立て機能を示した概略図である。
【発明を実施するための形態】
【００４２】
実例を明瞭に示す目的のため、図中の寸法比は必ずしも正確に表示されていない。同一、同様、類似の構成部品は、異なる実施態様において同じ引用符号で指定されている。解説は１つ以上の実施態様を参照しているが、これは必ずしも各参照が同じ実施態様に関係する、又はその特徴が一つの実施態様のみに該当するという意味ではない。また、他の実施態様を提供するために、様々な実施態様の単一機能が組み合わせられている場合がある。
【００４３】
図１と図２は、本発明の第一実施態様によれば、玩具ビーズ１０が組み立てられた状態を表している。玩具ビーズ１０は２つの複合パーツ１１、１２から成り、以後、玩具ビーズ１０の上部パーツ１１と下部パーツ１２と言及する。各パーツは中空の半球形をしている。前記の中空の半球形は内壁と外壁を明瞭に示している。具体的には、下部パーツ１２は内壁１３と外壁１４から成る。外壁１４は特定のデザインを示すことができる。
【００４４】
上部パーツ１１は、ねじ込み手段１１ａを備える近位端を備え、下部パーツ１２のねじ込み手段１２ａと螺合するように適合されている。
【００４５】
図１と図２に示されているように、下部パーツ１２のねじ込み手段１２ａは内壁１３に形成されており、上部パーツ１１のねじ込み手段１１ａは上部パーツの外壁拡張部に形成されている。
【００４６】
玩具ビーズ１０の２つの複合パーツ１１、１２のねじ込み手段１１ａと１２ａを結合させて、２つのパーツをつなぐことができる。
【００４７】
当業者は、本発明により達成される結果を変えることなく、ねじ込み手段を異なる配置にできると理解するだろう。具体的には、下部パーツのねじ込み手段は外壁の拡張部に形成することができ、その一方で上部パーツのねじ込み手段は上部パーツの内壁に形成することができる。
【００４８】
図１は、下部パーツ１２と上部パーツ１１をそれぞれ回して螺合させたときの組み立てられた玩具ビーズを示している。
【００４９】
また図１は、下部パーツ１２の内部管１５を示している。玩具ビーズの上部パーツ１１は同様の内部管を備え、パーツ１１と１２を螺合したときに、上部パーツの内部管と下部パーツの内部管によって形成された玩具ビーズの内部管が、下部パーツの遠位端から上部パーツの遠位端まで伸びる。図６に示されている通り、本発明によって複数の玩具ビーズを組み合わせてアクセサリーを作成するため、糸２２を管に通すことができる。
【００５０】
図１に示されている通り、玩具ビーズはさらに差し込み手段１７、１８を備える。これらはスナップ手段とも呼ばれる。図に示されている実施態様では、差し込み手段１７はオスであり、差し込み手段１８はメスである。
【００５１】
前記の差し込み手段１７、１８により、乳幼児はビーズの両端を軽く押し合わせてビーズをつなぐことができる。そのため、図５に示されている通り、２つの玩具ビーズを接続するために、オスの差し込み手段１７はメスの差し込み手段１８に挿入する。
【００５２】
糸２２は、ビーズを互いに差し込んだ後、又はビーズを互いに差し込む前に、管に通すことができる。
【００５３】
本発明によるビーズは、差し込み手段によりつなぎ合わせることができるため、糸を使わずにアクセサリーを作成することができる。
【００５４】
言い換えると、本発明による玩具ビーズは融通性を備え、乳幼児向けに幅広い使い方を提供する。
【００５５】
図３は、本発明の第二実施態様によれば、玩具ビーズ１００が組み立てられた状態を示している。玩具ビーズ１００は２つの複合パーツ１１０、１２０から成り、以後、玩具ビーズ１００の上部パーツ１１０と下部パーツ１２０と言及する。各パーツは中空の半球形をしている。
【００５６】
玩具ビーズ１００のねじ込み手段は、玩具ビーズが組み立てられた状態の図３では見えないが、オスの差し込み手段１７０とメスの差し込み手段１８０はそれぞれこの図に示されている。
【００５７】
図４は、玩具ビーズ１００の内部構造を示している。具体的には、下部パーツ１２０の内部管１５０と上部パーツ１１０の内部管１６０が示されている。また、上部パーツ１１０のねじ込み手段１１０ａを下部パーツ１２０のねじ込み手段１２０ａに螺合した状態も示している。この図から明らかなように、本発明の第一実施態様又は第二実施態様によれば、若しくはパーツの外観上の点で第一もしくは第二実施態様と本質的に異なるその他の実施態様によれば、上部パーツと下部パーツが互いに螺合しているとき、内部管が形成されて、アクセサリーを作成するための糸を通せるようになる。
【００５８】
また図４から明らかなように、下部パーツ１２０の内部管１５０は、上部パーツ１１０の差し込み手段１７０を受容する形状の近位端を備える。そのため、上部パーツ１１０をベースとして（図１０に表示）使用し、下部パーツ１２０を上部パーツ１１０の最上部に差し込むことができる。この新しい配置では、前記の上部パーツ１１０は実際には下部パーツとなってベースを形成し、前記の下部パーツは実際には上部パーツとなる。
【００５９】
また図４から明らかなように、上部パーツ１１０の内部管１６０は、別のビーズの上部パーツ１１０のオスの差し込み手段を受容する形状の近位端を備える。
【００６０】
この実施態様では、ビーズのパーツを組み立てゲームのモジュールとして使用することが可能である。この機能については、図９および図１０に関連してさらに詳しく説明する。
【００６１】
図７は、第一実施態様による玩具ビーズ１０、及び第二実施様態による玩具ビーズ１００をそれぞれ分解した状態と組み立てた状態を示している。また、本発明による玩具ビーズの互換性機能も示している。具体的には、上部パーツ１１０は下部パーツ１２０又は１２のいずれかと螺合して混合玩具ビーズを形成することができる。下部パーツ１２０は上部パーツ１１又は１１０のいずれかと螺合することができる。
【００６２】
図８は、その他の実施態様による玩具ビーズ２００を表している。これは２つの複合パーツ２１０、２２０から成り、以後、玩具ビーズ２００の上部パーツ２１０と下部パーツ２２０と言及する。
【００６３】
さらにこの玩具ビーズは中間パーツ２１５を含む。中間パーツは２つの終端を持ち、それぞれが各複合パーツのねじ込み手段と螺合するよう適合されたねじ込み手段を備える。
【００６４】
図の右側に示されている通り、ビーズ２００を組み立てると、中間パーツ２１５は上部パーツ２１０と下部パーツ２２０の間を拡張する。図８の中間パーツ２１５はほぼ平らな形状をしている。しかしながら、当業者は本発明の目的を変更することなく、中間パーツをいかなる形状にもできると理解するだろう。
【００６５】
図９と図１０は、異なる複合パーツを組み立て部品として使用するために、複合パーツの内部管が前記の複合パーツのオスの差し込み手段と協力する形状の近位端を備える実施態様に従って、玩具ビーズの組み立て機能を図示している。そのため、この実施態様によれば、ビーズはメカノ（Meccano）キットとなる。
【００６６】
具体的には、内部管の近位端は、この実施態様では、複合パーツのオスの差し込み手段に接合されたメスの差し込み手段となる。
【００６７】
図９に見られるように、組み立ては、図８のメスの差し込み手段を備える前記の下部パーツ２２０、図８の中間パーツ２１５、図１のオス差し込み手段を備える前述の上部パーツ１１、およびメス差し込み手段を備え、まだ説明されていない下部パーツ３２０の、４つの異なるパーツで構成されている。
【００６８】
前述の下部パーツ２２０は中間パーツ２１５と螺合されている。前述の上部パーツ１１は前述の下部パーツ２２０の内部管に差し込まれている。前述の下部パーツ３２０はさらに上部パーツ１１に螺合されている。
【００６９】
図１０に示されている組み立ては、図１のオスの差し込み手段を備える前記の上部パーツ１１０、まだ説明されていないメスの差し込み手段を備える下部パーツ４２０、および前記の上部パーツ１１０と前記の下部パーツ１２０を螺合させた図１のビーズの、４つの異なるパーツで構成されている。
【００７０】
前記の上部パーツ１１は、図１０の組み立てのベースを成している。メスの差し込み手段を備える下部パーツ４２０は、前記の上部パーツ１１のオスの差し込み手段を前記の下部パーツ４２０の内部管に差し込むことで、上部パーツの最上部に取り付けられている。さらに、図１によるビーズは前記の下部パーツ４２０のメスの差し込み手段に差し込まれている。
【００７１】
当業者は、異なる例を見て、本発明によるビーズを使用することで、複数の異なる組み立てが可能であることに直ちに気付くだろう。
【００７２】
本発明の玩具ビーズは、実施態様の解説だけに限定されない。具体的には、本発明により達成される範囲と結果を変えることなく、他の形状、寸法、外観の玩具ビーズを使用できることは明らかである。
【図１】
2019130394.tif 000003
【図２】
2019130394.tif 000004
【図３】
2019130394.tif 000005
【図４】
2019130394.tif 000006
【図５】
2019130394.tif 000007
【図６】
2019130394.tif 000008
【図７】
2019130394.tif 000009
【図８】
2019130394.tif 000010
【図９】
2019130394.tif 000011
【図１０】
2019130394.tif 000012